(57)【要約】【課題】シャープペンシルの芯２やボールペンのレフィール１０が紙面に押されることによって発生する筆圧を緩衝装置によって柔らげる。しかも、緩衝装置の緩衝力が十分に得られるとともに、長手方向以外には応力が発生しない筆記具に適用できる。【解決手段】シャープペンシルの芯２を保持する機構部の締具４あるいはボールペンのレフィール１０と軸筒７との間に緩衝装置を設ける。この緩衝装置を、合成樹脂製の連結具５の後部に軟質材からなるクッション部材６を２色成形により形成し、この突部５Ｄを軸筒７に押圧させて構成する。【選択図】図１
2011126061.tif 000002
【特許請求の範囲】
【請求項１】
シャープペンシルの芯を保持する機構部の締具あるいはボールペンのレフィールと軸筒との間に緩衝装置を設けた筆記具であって、合成樹脂製の連結具の後部に軟質材からなるクッション部材を２色成形により構成して緩衝装置を構成し、前記クッション部材に突部を形成し、この突部を軸筒に押圧させて構成したことを特徴とする筆記具。
【請求項２】
連結具の前部に外鍔を形成するとともに外鍔後方に突部を形成し、更に連結具の後筒部に長手方向に伸びたリブを相対位置に形成し、この連結具にクッション部材を２色成形により構成し、このクッション部材に長手方向後方に突出した突部を相対位置に形成して緩衝装置を構成し、前記クッション部材の突部を軸筒に押圧して構成したことを特徴とする請求項１記載の筆記具。
【発明の詳細な説明】
【技術分野】
【０００１】
本発明は、シャープペンシルの芯を保持する機構部やボールペンのレフィールと軸筒との間に緩衝装置を設けた筆記具に関するものである。
【背景技術】
【０００２】
従来、軸筒の下端に大径孔を設けて軸筒の中心孔との間に段部を形成し、大径孔の下方内周面には雌螺糸孔を設け、大径孔内には中心孔を開けた弾性板（クッション部材）を取付け、この弾性板の下面はチャックの締環（締具）を、又上面には座板を重ね押出管との間にばねを取付けて座板で弾性板を弾圧し、更に先金（先部材）の上端の外周に雄螺糸を設けた雄螺筒を形成して、前記雌螺糸孔に螺入、螺脱の方向に回動して弾性板を段部とばねの弾発力で押圧されている座板及び雄螺筒の上端面と大径孔との間で圧縮又元の状態に膨張ができるように構成した押出式機構鉛筆が知られている。（特許文献１参照）
【０００３】
しかしながら、上記押出式機構鉛筆は弾性板の締環が押圧される部分が変形してしまうために弾力が弱くなってしまうとともに、長手方向以外の周方向にも変形してしまい、適宜の緩衝力が得られないという問題があった。
【先行技術文献】
【特許文献】
【０００４】
【特許文献１】実公昭５３−１０９９１号公報
【発明の概要】
【発明が解決しようとする課題】
【０００５】
解決しようとする問題点は、シャープペンシルの芯やボールペンのレフィールが紙面に押されることによって発生する筆圧を緩衝装置によって受けた時、十分な緩衝力が得られない点と、長手方向以外の例えば周方向にも緩衝装置が変形してしまう点である。
【課題を解決するための手段】
【０００６】
本発明は、シャープペンシルの芯を保持する機構部の締具あるいはボールペンのレフィールと軸筒との間に緩衝装置を設けた筆記具であって、合成樹脂製の連結具の後部に軟質材からなるクッション部材を２色成形により構成して緩衝装置を構成し、前記クッション部材に突部を形成し、この突部を軸筒に押圧させて構成したことを第１の特徴とする。
【０００７】
また、連結具の前部に外鍔を形成するとともに外鍔後方に突部を形成し、更に連結具の後筒部に長手方向に伸びた隆起部を相対位置に形成し、この連結具にクッション部材を２色成形により構成し、このクッション部材に長手方向後方に突出した突部を相対位置に形成して緩衝装置を構成し、前記クッション部材の突部を軸筒に押圧して構成したことを第２の特徴とする。
【発明の効果】
【０００８】
本発明の筆記具は、シャープペンシルの芯やボールペンのレフィールが紙面に押されることによって発生する筆圧を緩衝装置によって受けた時に、確実かつ十分な緩衝力が得られ、柔らかい筆記感で筆記が行える利点が得られるものである。
【図面の簡単な説明】
【０００９】
【図１】図１は本発明の実施例１の筆記具を示す断面図である。（実施例１）
【図２】図２は、図１の連結具を示す正面図である。（実施例１）
【図３】図３は、図１の緩衝装置を示す正面図である。（実施例１）
【図４】図４は、図３のＡ−Ａ線を示す断面図である。（実施例１）
【図５】図５は、図１の緩衝装置を示す平面図である。（実施例１）
【図６】図６は、図１の軸筒を示す主要部断面図である。（実施例１）
【図７】図７は、図６のＡ−Ａ線を示す主要部断面図である。（実施例１）
【図８】図８は実施例１の筆記具における緩衝状態の緩衝装置と軸筒を示す主要部平面図である。（実施例１）
【図９】図９は実施例１の筆記具における非緩衝状態の緩衝装置と軸筒を示す主要部平面図である。（実施例１）
【図１０】図１０は本発明をボールペンに用いた実施例２の筆記具を示す断面図である。（実施例２）
【発明を実施するための形態】
【００１０】
シャープペンシルの芯やボールペンのレフィールが紙面に押された時、緩衝装置によって柔らかい筆記感で筆記が行える筆記具を実現した。
【実施例１】
【００１１】
以下、図１、図２、図３、図４、図５、図６、図７、図８及び図９に基づいて本発明における実施例１の筆記具をノック式シャープペンシルで説明する。また、図１の左側を前方とし右側を後方とする。先ず、チャック１に予備の芯２を収納した芯タンク３を連結する。更に、チャック１の頭部１Ａに締具４を外嵌する。この締具４を受け止める連結具５は前部に外鍔５Ａを形成するとともに後筒部５Ｂに長手方向後方に伸びた隆起部５Ｃを相対位置に形成する。更に、この隆起部５Ｃの後部に突部５Ｄを形成する。また、隆起部５Ｃと９０度円周方向に角度がずれた位置に後部が台形に形成された開口窓５Ｅを対向させて形成する。更に、前記連結具５の後筒部５Ｂには突部５Ｄより長手方向後方に伸びたリブ５Ｆを形成する。この合成樹脂で構成された連結具５に、接着性シリコン、エラストマー等の弾性部材によりクッション部材６が２色成形で形成され、緩衝装置が構成される。前記クッション部材６のゴム硬度は、略５以上かつ略５０以下が好ましい。このクッション部材６は前記連結具５の外鍔５Ａと突部５Ｄの間に形成されるが、長手方向後方に突出する突部６Ａが前記連結具５の開口窓５Ｅを貫通して相対位置に構成される。このクッション部材６の突部６Ａは前記連結具５の開口窓５Ｅと略同形でやや小さく構成され、かつ、その後端は前記連結具５の突部５Ｄの後端と略同一円周上に位置している。更に、図示していないが芯タンク３の後部に消しゴムが着脱可能に取り付けられるとともに、消しゴムを覆うノブが芯タンク３の後部外側に着脱可能に嵌合され、ノック式シャープペンシルの機構部が構成される。
【００１２】
軸筒７は、前端より長手方向後方に切り欠かれた凹部７Ａが相対位置に形成され、更に、凹部７Ａから長手方向後方に伸びた位置に互いに相対する凹溝７Ｂを形成するとともに、前記凹溝７Ｂと９０度円周方向に角度がずれた位置にも互いに相対する長凹溝７Ｃが形成される。
【００１３】
この軸筒７の前方から前記ノック式シャープペンシルの機構部を挿入し、軸筒７の後端より消しゴム及びノブを突出させる。また、連結具５の突部５Ｄを軸筒７の凹部７Ａに長手方向に一致させるとともに、連結具５のリブ５Ｆを軸筒７の凹溝７Ｂに長手方向に摺動可能に挿入する。更に、クッション部材６の突部６Ａが軸筒７の前端に当接され、図８に示した状態となる。
【００１４】
この軸筒７に先部材８を着脱可能に螺合し、先部材８の内段８Ａに前記連結具５の前端を接触させる。また、先部材８の係止段８Ｂと連結具５の前端の間を締具４が長手方向に摺動可能に構成する。この先部材８に芯２を軽く保持する芯ホルダー９が内蔵されノック式シャープペンシルが構成される。
【００１５】
以上説明したノック式シャープペンシルは、先部材８の先端より芯２を突出させ、この芯２で紙面等に筆記を行う。この時、芯２に加えられた筆圧はチャック１及び締具４を介して連結具５に伝達されるが、連結具５は筆圧を加えられた時から徐々にクッション部材６の突部６Ａを圧縮するので、筆圧が加えられた時から筆圧を吸収して柔らかい筆記感で筆記を行うことができる。この時、クッション部材６の突部６Ａは連結具５の開口窓５Ｅを貫通して連結具５の後筒部５Ｂ表面に密着していないので、クッション部材６の突部６Ａは確実に変形して圧縮される。また、クッション部材６は連結具５の隆起部５Ｃに被せられて固定されるとともに突部６Ａが連結具５の開口窓５Ｅに貫通して回転が防止されるので、長手方向にのみ変形して設定された緩衝力で圧縮される。尚、連結具５のリブ５Ｆが軸筒７の凹溝７Ｂに挿入されて摺動するので、軸筒７に対して連結具５は回転しない。
【００１６】
また、連結具５を固定したい場合には、軸筒７より先部材８を外し、連結具５のリブ５Ｆを軸筒７の長凹溝７Ｃに挿入するとともに、連結具５の突部５Ｄを軸筒７の前端に当接する。また、クッション部材６の突部６Ａは軸筒７の凹部７Ａと長手方向に一致し、図９に示した状態となる。
【００１７】
この図９の状態で筆記を行った場合は、連結具５の突部５Ｄが軸筒７の前端に当接されているので、芯２に加えられた筆圧がチャック１、締具４及び連結具５を介して軸筒７で直接受けられ、筆記中は芯２が確実に固定されて筆記を行うことができる。
【実施例２】
【００１８】
以下、図１０に基づいて本発明における実施例２の筆記具をボールペンで説明する。尚、図１と同一部材は同一の符号を付してその説明を省略する。先ず、ボールペンレフィール１０の前部に外鍔１０Ａを形成する。また、軸筒１０７は、前端より長手方向後方に切り欠かれた凹部１０７Ａが相対位置に形成され、更に、凹部１０７Ａから長手方向後方に伸びた位置に互いに相対する凹溝１０７Ｂを形成するとともに、前記凹溝１０７Ｂと９０度円周方向に角度がずれた位置にも互いに相対する長凹溝が形成される。この軸筒１０７の後端は底部１０７Ｄを有し密閉されている。また、軸筒１０７の前部にはキャップ１１が係合される突条１０７Ｅが形成されるとともにその前方位置に雄ネジ部が形成される。
【００１９】
この軸筒１０７の前方から連結具５を挿入し、連結具５の突部５Ｄを軸筒１０７の凹部１０７Ａに長手方向に一致させるとともに連結具５のリブ５Ｆを軸筒１０７の凹溝１０７Ｂに長手方向に摺動可能に挿入する。更に、クッション部材６の突部６Ａが軸筒１０７の前端に当接される。この軸筒１０７の前方から前記ボールペンレフィール１０を挿入する。更に、前記軸筒１０７に先部材１０８を着脱可能に螺合し、先部材１０８の内段１０８Ａと連結具５の前端でボールペンレフィール１０に設けられた外鍔１０Ａを挾持する。また、ボールペンレフィール１０の先端が先部材１０８の先端より突出する。前記軸筒１０７にキャップ１１を着脱可能に取り付け、キャップ１１の凹部１１Ａに軸筒１０７の突条１０７Ｅを係合させボールペンが構成される。
【００２０】
以上説明したボールペンは、この状態で筆記を行うと、ボールペンレフィール１０に加えられた筆圧はボールペンレフィール１０の外鍔１０Ａを介して連結具５に伝達されるが、連結具５は筆圧が加えられた時から徐々にクッション部材６の突部６Ａを圧縮するので、筆圧が加えられた時から筆圧を吸収して柔らかい筆記感で筆記を行うことができる。
【００２１】
また、連結具５を固定したい場合には、軸筒１０７より先部材１０８を外し、連結具５のリブ５Ｆを軸筒１０７の長凹溝に挿入するとともに、連結具５の突部５Ｄを軸筒１０７の前端に当接する。また、クッション部材６の突部６Ａは軸筒１０７の凹部１０７Ａに長手方向に一致する。この状態で筆記を行った場合は、連結具５の突部５Ｄが軸筒１０７の前端に当接されているので、ボールペンレフィール１０に加えられた筆圧が連結具５を介して軸筒１０７で直接受けられ、ボールペンレフィール１０は確実に固定されて筆記を行うことができる。
【００２２】
尚、本発明は上記実施例に限定されるものではなく、クッション部材の突部は台形に限らず半円形や長方形に形成しても良い。また、軸筒、連結具、クッション部材、芯タンク、キャップといった部材は説明を簡略化するためにそれぞれ１個の部品として図示しているが、それぞれ２個以上の部品を螺合、嵌合して一体化すれば良い。
【産業上の利用可能性】
【００２３】
シャープペンシルの芯やボールペンのレフィールが紙面に押されることによって発生する筆圧を緩衝装置によって受けた時に、確実かつ十分な緩衝力が得られ、柔らかい筆記感で筆記が行える筆記具に適用できる。
【符号の説明】
【００２４】
２    芯
５    連結具
５Ａ    連結具５の外鍔
５Ｂ    連結具５の後筒部
５Ｄ    連結具５の突部
５Ｆ    連結具５のリブ
６    クッション部材
６Ａ    クッション部材６の突部
７    軸筒
１０    レフィール
１０７    軸筒
【図１】
2011126061.tif 000003
【図２】
2011126061.tif 000004
【図３】
2011126061.tif 000005
【図４】
2011126061.tif 000006
【図５】
2011126061.tif 000007
【図６】
2011126061.tif 000008
【図７】
2011126061.tif 000009
【図８】
2011126061.tif 000010
【図９】
2011126061.tif 000011
【図１０】
2011126061.tif 000012